(57)【要約】【課題】大きさの異なる各ペットの足幅サイズに対応すべく足入れ孔の位置と大きさをスライド式に自由自在に変更することができ、テンション調整も自由に行えるようにする。【解決手段】保持枠１に複数のベルト３を縦横格子状に掛け渡して成るペット用載せ台を構成する。前記各ベルト３を幅方向に移動自在とするベルト間隔調整手段Ｖと、各ベルト３のテンションを上下方向に調整自在とするベルトテンション調整手段Ｗとを備えている。ベルト間隔調整手段Ｖは、保持枠１上部に掛巡張設した調整紐８に各ベルト３の両端を取り付け、各ベルト３の両端を調整紐８に沿ってスライドすることで、保持枠１内側に張った各ベルト３の相互間隔を任意に調整可能とする。【選択図】図１
2011024497.tif 000002
【特許請求の範囲】
【請求項１】
保持枠に複数のベルトを縦横格子状に掛け渡して成るペット用載せ台であって、前記各ベルトを幅方向に移動自在とするベルト間隔調整手段を備えていることを特徴とするペット用載せ台。
【請求項２】
保持枠に複数のベルトを縦横格子状に掛け渡して成るペット用載せ台であって、前記各ベルトを幅方向に移動自在とするベルト間隔調整手段を備えると共に、各ベルトのテンションを上下方向に調整自在とするベルトテンション調整手段を備えていることを特徴とするペット用載せ台。
【請求項３】
前記ベルト間隔調整手段は、保持枠上部に掛巡張設された調整紐に各ベルトの両端が取り付けられ、該各ベルトの両端を調整紐に沿ってスライドさせることで、保持枠内側に張られた各ベルトの相互間隔を任意に調整可能として成る請求項１記載のペット用載せ台。
【請求項４】
前記ベルトテンション調整手段は、保持枠上部に掛巡張設された調整紐の張力の加減に応じて、保持枠内側に張られた各ベルトのテンションの度合いを調整可能とするか、あるいは、保持枠に沿ってスライド自在とした複数の紐掛け具に調整紐が挿通され、当該紐掛け具の使用個数の多少に応じて、保持枠内側に張られた各ベルトのテンションの度合いを調整可能として成る請求項２記載のペット用載せ台。
【請求項５】
前記ベルトテンション調整手段には、テンション調整後の調整紐を一対の保持ローラ間に挟持させることで係止固定するストッパ機構を備えている請求項３記載のペット用載せ台。
【請求項６】
前記保持枠の下部には、折り畳み自在で且つ高さ調整自在な脚部を備えている請求項１乃至４のいずれかに記載のペット用載せ台。
【発明の詳細な説明】
【技術分野】
【０００１】
本発明は、ペットのハンモック診察台・ハンモックエコー台・ハンモックスリングベッド等として使用されるペット用載せ台に係り、さらに詳述すれば、エコー診断・胸腔穿刺・心電図・筋電図・四肢エックス線撮影等の診断デバイス、心タンポナーゼ穿刺・緊張性気胸治療・腹水穿刺等の治療デバイス、歩行訓練・水泳訓練等のリハビリテーションデバイス、シャンプードライヤー乾燥等のケアーデバイス、担架・ストレッチャー・緊急処置初期救急診断・処置台等の救急デバイス等の種々の用途として利用されるペット用載せ台に関する。
【背景技術】
【０００２】
従来から、この種のペット用載せ台としては、例えば特許文献１に開示されているように、床面上を移動自在な台車と、該台車の上部で横臥状態の患者等を上面に支持する平面フラット状の載置台と、該載置台を適宜昇降可能な昇降装置とから構成されたストレッチャーなる技術が存在する。
【０００３】
また、特許文献２に開示されているように、小動物ペットの大きさに応じて水位が調整される水槽内で、小動物ペットの足部のリハビリを行うために、当該水槽内底部に配した無端環状ベルトを備え、小動物ペットの足入れ孔を有するペット抱え用の吊り下げシートを水槽内に配して構成したペット用リハビリ装置なる技術が存在する。
【先行技術文献】
【特許文献】
【０００４】
【特許文献１】特開平９−２８７３４号公報
【特許文献２】特開２０００−１１８８１０号公報
【発明の概要】
【発明が解決しようとする課題】
【０００５】
しかしながら、従来においては、特許文献１による技術の場合、載置台がフラットな台なので、横臥状態での診察・治療デバイスとしてしか使用することができず、例えば歩行訓練・水泳訓練等のリハビリテーションデバイス、シャンプードライヤー乾燥等のケアーデバイス等として使用するためには構成上、種々の欠陥がある。
【０００６】
また、特許文献２による技術の場合、ペット抱え用の吊り下げシートに形成された足入れ孔は、予め決められた孔サイズおよび間隔となって一体形成されているため、大きさの異なる各ペットの足幅サイズに対応させることができない。
【０００７】
そこで、本発明は、叙上のような従来存した諸事情に鑑み案出されたもので、大きさの異なる各ペットの足幅サイズに対応させるべく足入れ孔の位置と大きさをスライド式に自由自在に変更させることができ、且つテンション調整も自由に行えるハンモック診察台・ハンモックエコー台・ハンモックスリングベッド等種々な用途として使用可能としたペット用載せ台を提供することを目的とする。
【課題を解決するための手段】
【０００８】
上述した課題を解決するために、本発明にあっては、保持枠に複数のベルトを縦横格子状に掛け渡して成るペット用載せ台であって、前記各ベルトを幅方向に移動自在とするベルト間隔調整手段を備えていることを特徴とする。
【０００９】
保持枠に複数のベルトを縦横格子状に掛け渡して成るペット用載せ台であって、前記各ベルトを幅方向に移動自在とするベルト間隔調整手段を備えると共に、各ベルトのテンションを上下方向に調整自在とするベルトテンション調整手段を備えていることを特徴とする。
【００１０】
前記ベルト間隔調整手段は、保持枠上部に掛巡張設された調整紐に各ベルトの両端が取り付けられ、該各ベルトの両端を調整紐に沿ってスライドさせることで、保持枠内側に張られた各ベルトの相互間隔を任意に調整可能として成る。
【００１１】
前記ベルトテンション調整手段は、保持枠上部に掛巡張設された調整紐の張力の加減に応じて、保持枠内側に張られた各ベルトのテンションの度合いを調整可能とするか、あるいは、保持枠に沿ってスライド自在とした複数の紐掛け具に調整紐が挿通され、当該紐掛け具の使用個数の多少に応じて、保持枠内側に張られた各ベルトのテンションの度合いを調整可能として成る。
【００１２】
前記ベルトテンション調整手段には、テンション調整後の調整紐を一対の保持ローラ間に挟持させることで係止固定するストッパ機構を備えている。
【００１３】
前記保持枠の下部には、折り畳み自在で且つ高さ調整自在な脚部を備えている。
【発明の効果】
【００１４】
本発明によれば、大きさの異なる各ペットの足幅サイズに対応させるべく足入れ孔の位置と大きさをスライド式に自由自在に変更させることができ、且つテンション調整も自由に行えるハンモック診察台・ハンモックエコー台・ハンモックスリングベッド等として使用可能となる。
【００１５】
すなわち、本発明にあっては、保持枠に複数のベルトを縦横格子状に掛け渡して成るペット用載せ台であって、前記各ベルトを幅方向に移動自在とするベルト間隔調整手段を備えているので、複数の縦横のベルトを各１本づつ移動できるものとなり、ペットの足を入れる開口部の大きさや位置をペットの大きさに合わせて自由に変更することができる。
【００１６】
また、本発明にあっては、各ベルトのテンションを上下方向に調整自在とするベルトテンション調整手段を備えているので、ベルトのテンション調整が自由に行えるものとなり、大きさ（重量）等の異なる各ペットに十分に適合させることができ、ストレッチャー・診察台等その他の種々のデバイスとしての使用が可能となる。例えば、エックス線撮影に使用する場合、撮影部位の大きさや位置等をワンタッチで簡単に調整することができ、さらにエックス線のみならず他の診断・治療等の使用においても同様に調整できる。
【００１７】
前記ベルト間隔調整手段は、保持枠上部に掛巡張設された調整紐に各ベルトの両端が取り付けられ、該各ベルトの両端を調整紐に沿ってスライドさせることで、保持枠内側に張られた各ベルトの相互間隔を任意に調整可能として成るので、調整紐に沿って各ベルトをスライドさせるだけで、容易且つ迅速に足入れ孔の位置と大きさの変更が行える。
【００１８】
前記ベルトテンション調整手段は、保持枠上部に掛巡張設された調整紐の張力の加減に応じて、保持枠内側に張られた各ベルトのテンションの度合いを調整可能とするか、あるいは、保持枠に沿ってスライド自在とした複数の紐掛け具に調整紐が挿通され、当該紐掛け具の使用個数の多少に応じて、保持枠内側に張られた各ベルトのテンションの度合いを調整可能として成るので、大きさ（重量）の異なる各ペットに対応して、容易且つ迅速にテンションの大きさの変更が行える。例えば、各ベルトのテンションの上下方向調整は、調整紐の端部を引っ張ることで、各ベルトが平坦になるようにする一方、調整紐の端部を緩めることにより、各ベルトの自重によって下方向に撓ませるようにすることによって行われる。
【００１９】
また、例えばストレッチャーとして使用するか、重量のある大きなペットを載せるときにおいて、各ベルトを平坦に張る場合には、紐掛け具の使用個数を多くし、一方、小さなペットを載せるときにおいて、各ベルトのテンションを緩める場合は、紐掛け具の使用個数を少なくすることで、ペットの大小に応じたテンション調整が自由に行える。
【００２０】
前記ベルトテンション調整手段には、テンション調整後の調整紐を一対の保持ローラ間に挟持させることで係止固定するストッパ機構を備えているので、テンション調整後の調整紐を確実に保持しておくことができ、ベルトの不用意な緩みを防止することができる。
【００２１】
前記保持枠の下部には、折り畳み自在で且つ高さ調整自在な脚部を備えているので、脚部の折り畳みによって不使用時の収納も容易となり、また、脚部の高さ調整によって、大きさ（重量）の異なる各ペットに十分に対応させることができる。
【図面の簡単な説明】
【００２２】
【図１】本発明を実施するための一形態におけるペット用載せ台の使用状態を前方斜方向から見た斜視図である。
【図２】同じくペット用載せ台の使用状態の側面図である。
【図３】同じくベルトテンション調整手段の一例を示し、（ａ）は緩めた調整紐をストッパ機構に係止させる前の状態の平面図、（ｂ）は緊張させた調整紐をストッパ機構に係止させた後の状態の平面図である。
【図４】同じく紐掛け具の一例を示し、（ａ）は斜視図、（ｂ）は縦断面図である。
【図５】同じく縦横の各ベルトのスライド配置例を示す平面図である。
【図６】同じく縦横の各ベルトのスライド配置の他例を示す平面図である。
【発明を実施するための形態】
【００２３】
以下、図面を参照して本発明に係るペット用載せ台の実施の一形態を詳細且つ具体的に説明する。
本発明に係るペット用載せ台は、図１および図２に示すように、ペットＰを載せるための複数のベルト３を縦横格子状に掛け渡して成る矩形枠状の保持枠１と、該保持枠１の下部四隅に設けた脚部２とから成り、該脚部２には種々の構造による折り畳み兼高さ調整機構Ｑ、各ベルト３を幅方向に移動自在とするベルト間隔調整手段Ｖ、および各ベルト３のテンションを上下方向に調整自在とするベルトテンション調整手段Ｗとをそれぞれ備えている。
【００２４】
ベルトテンション調整手段Ｗとして、例えば保持枠１の上面にはその長手方向に沿ってスライド可能とする複数の紐掛け具４が取り付けられている。この紐掛け具４は、図４（ａ）、図４（ｂ）に示すように、保持枠１の上面に長手方向に沿って形成された断面逆Ｔ字型のスライド溝５内に、矩形板状の移動台座６下面に突設した逆Ｔ字型のスライド突起７が係合されて、当該移動台座６自体が保持枠１上面で長手方向に沿ってスライド可能となっている。そして、移動台座６上には、上面に略逆Ｕ字型の紐掛け輪７ａを備えた円盤状の基台７がネジ等で締結してある。
【００２５】
尚、本形態においては、４つの紐掛け具４が保持枠１上面の四隅に配置され、前後の紐掛け具４の間には、さらに２つの紐掛け具４が保持枠１上でスライド可能となるように配置されている。しかし、この紐掛け具４の個数は、本発明を何等拘束するものではなく、ベルトテンション調整手段Ｗとして、ペットＰの大きさ（重量）に適合させて任意の個数となって配置されるものとしてある。
【００２６】
上記したこれら紐掛け具４の各紐掛け輪７ａには、例えば綿布製または金属製等の調整紐８が、角部にある紐掛け具４それぞれに挿入され、保持枠１上部にて掛巡張設されている。このとき、調整紐８の両端部は例えばカラビナ等のフック連繋部材９を介して連繋されている。また、この調整紐８は、保持枠１に沿って順次隣接配置した紐掛け具４の全てあるいはそれより少数に亘って挿入されることで、後述するようにベルトテンション調整手段Ｗによるテンション調整方法の一つとしている。
【００２７】
そして、ベルト間隔調整手段Ｖとして、左右対向する調整紐８に、横方向の複数のベルト３の各両端に形成された折り返し部分がスライド自在となるように取り付けられ、一方前後対向する調整紐８に、縦方向の複数のベルト３の各両端に形成された折り返し部分がスライド自在となるように取り付けられ、斯くして縦横格子状となった各ベルト３は編組状に互いに交差される。
【００２８】
こうして、ベルト間隔調整手段Ｖは、縦横の各ベルト３を互いに幅方向にスライド移動させることで、図５に示すように、各ベルト３によって形成される平面内に、４つの足入れスペースとしての開口部１０が形成できるようにしてある。また、図６に示すように、縦横の各ベルト３相互間の幅間隔の調整を行うことで、足入れスペースとしての開口部１０の位置と大きさを任意の変えられるようにしてある。
【００２９】
また、ベルトテンション調整手段Ｗは、前記紐掛け具４を介して保持枠１上部に掛巡張設された調整紐８の張力の加減によって、当該保持枠１内側に張られた縦横の各ベルト３のテンションの度合いを調整可能としてある。
【００３０】
さらに、このベルトテンション調整手段Ｗは、紐掛け具４の使用個数を多くするか少なくするかで、保持枠１内側に張られた縦横の各ベルト３のテンションの度合いを調整可能としてある。
【００３１】
また、保持枠１の一端側面隅部には、ストッパ機構Ｓとして、図３（ａ）、図３（ｂ）に示すように、一対の保持ローラ１１ａ，１１ｂを、調整紐８の太さよりも若干狭い間隔の隙間が形成されるように、左右並列状に対向配置させ、両保持ローラ１１ａ、１１ｂ前側面には、両保持ローラ１１ａ、１１ｂ相互の隙間に対応して、外側に向けて中央を凹ませ、調整紐８を挿入可能としたローラ支持用の支持枠１２が取り付けられている。
【００３２】
そして、図３（ａ）に示すように、フック連繋部材９を介して調整紐８の一端を牽引し、テンションを調整した後に、図３（ｂ）に示すように、当該調整紐８をストッパ機構Ｓの一対の保持ローラ１１ａ、１１ｂ間に挟持させることで係止固定するようにしてある。  尚、ストッパ機構Ｓより下方に引き出されている調整紐８には、取っ手１３が取り付けられている（図１参照）。
【００３３】
次に、以上のように構成された形態についての使用の一例について説明する。
先ず、ベルト間隔調整手段Ｖにより保持枠１上の縦横の各ベルト３相互間の幅間隔の調整を行う。このときペット用載せ台に、体の小さいペットＰを載せる場合には、図５に示すように、縦横の各ベルト３を互いに幅方向にスライド移動させることで、足入れスペースとしての開口部１０の位置と大きさを、当該ペットＰに適合させるように、小さいサイズに変えておく。
【００３４】
一方、ペット用載せ台に、体の大きいペットＰを載せる場合には、図６に示すように、縦横の各ベルト３をさらに幅方向にスライド移動させることで、足入れスペースとしての開口部１０の位置と大きさを、当該ペットＰに適合させるように、大きいサイズに変えておく。
【００３５】
そして、図１および図２に示すように、保持枠１上の縦横の各ベルト３上に形成されている足入れスペースとしての開口部１０にペットＰの足を入れながら各ベルト３上にペットＰを載せる。このとき、ベルトテンション調整手段Ｗによって、ペットＰの大きさ（重量）等に適合させるように、各ベルト３のテンションの調整を行う。
【００３６】
このベルトテンション調整手段Ｗは、前記紐掛け具４を介して保持枠１上部に掛巡張設された調整紐８の張力の加減によって、当該保持枠１内側に張られた縦横の各ベルト３のテンションの度合いが調整される。
【００３７】
あるいは、ベルトテンション調整手段Ｗは、紐掛け具４の使用個数を多くするか少なくするかによって、保持枠１内側に張られた縦横の各ベルト３のテンションの度合いが調整される。
【００３８】
例えば、ベルトテンション調整手段Ｗによる各ベルト３のテンションの上下方向調整は、調整紐８の端部を引っ張ることで、各ベルト３が平坦になるようにする。一方、調整紐８の端部を緩めることにより、各ベルト３の自重によって下方向に撓ませる。
【００３９】
図３（ａ）および図３（ｂ）に示すように、フック連繋部材９を介して調整紐８の一端を取っ手１３を介して牽引し、テンションを調整した後に、当該調整紐８をストッパ機構Ｓの一対の保持ローラ１１ａ、１１ｂ間に挟持させて係止固定する。
【００４０】
さらに、例えばストレッチャーとして使用するか、重量のある大きなペットＰを載せるときにおいて、各ベルト３を平坦に張る場合には、図１および図２の鎖線で示すように、調整紐８が掛けられる紐掛け具４の使用個数を多くする。一方、小さなペットＰを載せるときにおいて、各ベルト３のテンションを緩める場合は、紐掛け具４の使用個数を少なくする８例えば保持枠上面四隅の紐掛け具４のみに掛け通すことで、各ベルトを下方に撓ませておく。こうしてペットＰの大小に応じてのテンション調整が自由に行える。
【００４１】
尚、ベルト間隔調整手段Ｖ、ベルトテンション調整手段Ｗ、折り畳み兼高さ調整機構Ｑおよびストッパ機構Ｓは上記した実施形態に限定されるものではないことは勿論である。
【符号の説明】
【００４２】
Ｐ              ペット
Ｑ              折り畳み兼高さ調整機構
Ｖ              ベルト間隔調整手段
Ｗ              ベルトテンション調整手段
Ｓ              ストッパ機構
１              保持枠
２              脚部
３              ベルト
４              紐掛け具
５              スライド溝
６              移動台座
７              スライド突起
７ａ            紐掛け輪
７              基台
８              調整紐
９              フック連繋部材
１０            開口部（足入れスペース）
１１ａ、１１ｂ  保持ローラ
１２            支持枠
１３            取っ手
【図１】
2011024497.tif 000003
【図２】
2011024497.tif 000004
【図３】
2011024497.tif 000005
【図４】
2011024497.tif 000006
【図５】
2011024497.tif 000007
【図６】
2011024497.tif 000008